(57)【特許請求の範囲】
【請求項１】
金属粒子と、
前記金属粒子の表面の少なくとも一部に付着しているアミン及びカルボン酸を含む有機物と、を含む接合用組成物であって、
前記金属粒子の粒径が１３〜３６ｎｍであり、
前記接合用組成物を窒素気流中において室温から５５０℃までを１０℃／分で上昇させる熱分析において、室温から５００℃まで加熱したときの重量減少を基準とし、室温から２００℃まで加熱したときの重量減少率が３３％〜６９％であり、かつ、２００℃から３００℃まで加熱したときの重量減少率が２４％〜５０％であり、
前記接合用組成物の重量に対する前記重量減少の割合が８．６％〜１５．６％であること、
を特徴とする接合用組成物。
【請求項２】
前記金属粒子の結晶子径が１３〜３６ｎｍであること、
を特徴とする請求項１に記載の接合用組成物。
【請求項３】
前記金属粒子が、金、銀、銅、ニッケル、ビスマス、スズ又は白金族元素よりなる群から選択される少なくとも１種の金属の粒子であること、
を特徴とする請求項１又は２に記載の接合用組成物。
【請求項４】
金属製の被接合部材同士の接合に用いられること、
を特徴とする請求項１〜３のうちのいずれかに記載の接合用組成物。
【発明の詳細な説明】
【技術分野】
【０００１】
本発明は、無機粒子と、無機粒子の表面の少なくとも一部に付着しているアミン及び／又はカルボン酸を含む有機物と、を含む接合用組成物に関する。
【背景技術】
【０００２】
金属部品と金属部品を機械的及び／又は電気的及び又は熱的に接合するために、従来より、はんだ、導電性接着剤、銀ペースト及び異方導電性フィルム等が用いられている。これら導電性接着剤、銀ペースト及び異方導電性フィルム等は、金属部品だけでなく、セラミック部品や樹脂部品等を接合する場合に用いられることもある。例えば、ＬＥＤ等の発光素子の基板への接合、半導体チップの基板への接合、及びこれらの基板の更に放熱部材への接合等が挙げられる。【０００３】
なかでも、はんだ並びに金属からなる導電フィラーを含む接着剤、ペースト及びフィルムは、電気的な接続を必要とする部分の接合に用いられている。更には、金属は一般的に熱伝導性が高いため、これらはんだ並びに導電フィラーを含む接着剤、ペースト及びフィルムは、放熱性を上げるために使用される場合もある。【０００４】
一方、例えば、ＬＥＤ等の発光素子を用いて高輝度の照明デバイスや発光デバイスを作製する場合、或いは、パワーデバイスと言われる高温で高効率の動作をする半導体素子を用いて半導体デバイスを作製する場合等には、発熱量が上がる傾向にある。デバイスや素子の効率を向上させて発熱を減らす試みも行われているが、現状では十分な成果が出ておらず、デバイスや素子の使用温度が上がっているのが実情である。【０００５】
また、接合時におけるデバイスの損傷を防ぐという観点からは、低い接合温度（例えば３００℃以下）で十分な接合強度を確保できる接合材が求められている。したがって、デバイスや素子等を接合するための接合材に対しては、接合温度の低下とともに、接合後におけるデバイスの動作による使用温度の上昇に耐えて十分な接合強度を維持できる耐熱性が求められているが、従来からの接合材では十分な対応ができないことが多い。例えば、はんだは、金属を融点以上に加熱する工程（リフロー工程）を経て部材同士を接合するが、一般的に融点はその組成に固有であるため、耐熱温度を上げようとすると加熱（接合）温度も上がってしまう。【０００６】
更に、はんだを用いて素子や基板を数層重ね合わせて接合する場合、重ね合わせる層の数だけ加熱工程を経る必要であり、既に接合した部分の溶融を防ぐためには、次の接合に用いるはんだの融点（接合温度）を上げる必要があり、また、重ね合わせる層の数だけはんだ組成の種類が必要になり、取扱いが煩雑になる。【０００７】
他方、導電性接着剤、銀ペースト及び異方導電性フィルムでは、含有するエポキシ樹脂等の熱硬化を利用して部材同士を接合するが、得られたデバイスや素子の使用温度が上がると樹脂成分が分解、劣化することがある。例えば、特許文献１（特開２００８−６３６８８号公報）においては、接合材料の主材として用いて被接合部材同士を接合した時により高い接合強度が得られるようにした微粒子が提案されているが、使用温度上昇時における樹脂成分の分解、劣化の問題は解消されていない。
【先行技術文献】
【特許文献】
【０００８】
【特許文献１】特開２００８−６３６８８号公報
【発明の概要】
【発明が解決しようとする課題】
【０００９】
以上のような状況に鑑み、本発明の目的は、比較的低温での接合によって高い接合強度が得られるとともに、使用温度上昇時における樹脂成分の分解、劣化などによる接合強度の低下が生じ難い耐熱性も具備した接合用組成物、特に金属粒子を含む接合用組成物を提供することにある。
【課題を解決するための手段】
【００１０】
本発明者は、上記目的を達成すべく接合用組成物の組成や加熱時の重量減少率について鋭意研究を重ねた結果、無機粒子と、無機粒子の表面の少なくとも一部に付着しているアミン及び／又はカルボン酸を含む有機物と、を用い、かつ特定の温度範囲における加熱時の重量減少率を特定の範囲にすることが、上記目的を達成する上で極めて有効であることを見出し、本発明に到達した。【００１１】
即ち、本発明は、
無機粒子と、前記無機粒子の表面の少なくとも一部に付着しているアミン及び／又はカルボン酸を含む有機物と、を含み、
熱分析によって室温から２００℃まで加熱したときの重量減少率が３３％〜６９％であり、かつ、２００℃から３００℃まで加熱したときの重量減少率が２４％〜５０％であること、
を特徴とする接合用組成物を提供する。【００１２】
上記の本発明の接合用組成物は、熱分析によって室温から２００℃まで加熱したときの重量減少率が３３％〜６９％であり、かつ、２００℃から３００℃まで加熱したときの重量減少率が２４％〜５０％であること、を特徴とし、これにより優れた接合強度を発現することを、本発明者らは見出した。これは、加熱時の接合用組成物における、有機物の揮発と無機粒子の融着のバランスが良好であるためと推測される。【００１３】
例えば、本発明の接合用組成物を、例えば金メッキを表面に施したアルミナ性セラミクス基板に塗布し、上から同じ基板を載せて、得られた積層体を３００℃で加熱する場合を想定する。加熱により接合用組成物の温度が次第に上がる際、室温から２００℃まで加熱したときの重量減少率が３３％〜６９％であるため、２００℃に達するまでに比較的揮発し易い有機成分が揮発する。この段階ではまだ相当量の有機物が残存しており、無機粒子同士はまだ積極的には融着しておらず、塗布された状態の接合用組成物は依然として可撓性を有している。そのため、有機物が気体になって揮発して当該気体の通ったあとに空洞のような部分（通り道）ができても、周りの接合用組成物が移動して当該部分を埋めてくれる。そして、融着した無機粒子の繋がりが一体的となり、十分な接合強度が得られ、よって導電性や熱伝導性も向上する。【００１４】
なお、本発明の接合用組成物を用いて実際に接合を実施する場合には、本発明において規定する上記熱分析において基準となる温度（２００℃や３００℃）まで温度を上昇させなくても、有機物が減少することがあるが、上記熱分析によって温度上昇を伴う接合時の有機物の減少挙動を詳細に分析することができ、これにより、本発明の接合用組成物の加熱（接合）時の性質を明確に規定することができるのである。【００１５】
本発明の接合用組成物は、２００℃から３００℃まで加熱したときの重量減少率が２４％〜５０％と少ないため、上記のように加熱により高温になって無機粒子の融着が活発になった際に気体となって出て行く有機物の量が少なく、融着した無機粒子の繋がりの一体性が損なわれにくく、十分な接合強度が得られ、よって導電性や熱伝導性も向上する。【００１６】
加えて、本発明の接合用組成物においては、アミン及びカルボン酸の一分子内におけるアミノ基及びカルボキシル基が、比較的高い極性を有し、水素結合による相互作用を生じ易いが、これら官能基以外の部分は比較的低い極性を有する。更に、アミノ基及びカルボキシル基は、それぞれアルカリ性的性質及び酸性的性質を示し易い。【００１７】
したがって、アミン及びカルボン酸は、本発明の接合用組成物中で、無機粒子の表面の少なくとも一部に局在化（付着）すると（即ち、無機粒子の表面の少なくとも一部を被覆すると）、有機物と無機粒子とを十分に親和させることができ、無機粒子同士の凝集を防ぐ。また、必要に応じて分散媒が添加された場合においても、有機物が分散剤の作用をするので、分散媒中における無機粒子の分散状態が著しく向上する。即ち、本発明の接合用組成物によれば、特定の組合せの有機物を含んでいるので、無機粒子が凝集しにくく、塗膜中でも無機粒子の分散性がよく、均一に融着して強い接合強度が得られる。【００１８】
ここで、上記の本発明の接合用組成物は、言い換えると、無機粒子と有機物とで構成されるコロイド粒子を主成分とする組成物であるが、更に分散媒とを含むコロイド分散液であってもよい。「分散媒」は上記コロイド粒子を分散液中に分散させるものであるが、上記コロイド粒子の構成成分の一部は「分散媒」に溶解していてもよい。なお、「主成分」とは、構成成分のうちの最も含有量の多い成分のことをいう。【００１９】
また、上記の本発明の接合用組成物においては、前記無機粒子が、金、銀、銅、ニッケル、ビスマス、スズ又は白金族元素のうちの少なくとも１種の金属の粒子であること、が好ましい。このような構成による接合用組成物を用いれば、優れた接合強度や耐熱性が得られる。
更に、上記の本発明の接合用組成物は、金属同士の接合に用いるのが好ましい。
【発明の効果】
【００２０】
本発明によれば、無機粒子と、前記無機粒子の表面の少なくとも一部に付着しているアミン及び／又はカルボン酸を含む有機物と、を含む組成物において、特定の組成とし、特定の温度領域における重量減少率を最適化することにより、低い接合温度でも高い接合強度が得られる接合用組成物を提供することができる。
【発明を実施するための形態】
【００２１】
以下、本発明の接合用組成物の好適な一実施形態としての金属コロイドを含んでなる接合用組成物の好適な一実施形態について詳細に説明する。なお、以下の説明では、本発明の一実施形態を示すに過ぎずこれらによって本発明が限定されるものではなく、また、重複する説明は省略することがある。
【００２２】
（１）接合用組成物
本実施形態の金属コロイドを含んでなる接合用組成物は、
金属粒子と、
前記金属粒子の表面の少なくとも一部に付着しているアミン及び／又はカルボン酸を含む有機物と、を含み、
熱分析によって室温から２００℃まで加熱したときの重量減少率が３３％〜６９％であり、かつ、２００℃から３００℃まで加熱したときの重量減少率が２４％〜５０％であること、
を特徴とする。
【００２３】
ここで、熱分析によって室温から２００℃まで加熱したときの重量減少率が３３％〜６９％であるというのは、後述する方法（熱分析）により測定される、室温から５００℃まで加熱したときの重量減少Ｘのうち、室温から２００℃まで加熱したときの重量減少Ｙが３３％〜６９％を占める（Ｙ＝０．３３Ｘ〜０．６９Ｘ）という意味であり、２００℃から３００℃まで加熱したときの重量減少率が２４％〜５０％であることの意味についても同様である。
【００２４】
このような構成を有する本実施形態の接合用組成物においては、熱分析によって室温から２００℃まで加熱したときの重量減少率が３３％〜６９％であり、かつ、２００℃から３００℃まで加熱したときの重量減少率が２４％〜５０％であること、を特徴とし、これにより優れた接合強度を発現する。これは、加熱時の接合用組成物における、有機物の揮発と無機粒子の融着のバランスが良好であるためと推測される。
【００２５】
例えば、本実施形態の接合用組成物を、例えば金メッキを表面に施したアルミナ性セラミクス基板に塗布し、上から同じ基板を載せて、得られた積層体を２７０℃で加熱する場合を想定する。加熱により接合用組成物の温度が次第に上がる際、室温から２００℃まで加熱したときの重量減少率が３３％〜６９％であるため、２００℃に達するまでに比較的揮発し易い有機物が揮発する。この段階ではまだ相当量の有機物が残存しており、金属粒子同士はまだ積極的には融着しておらず、塗布された状態の接合用組成物は依然として可撓性を有している。そのため、有機物が気体になって揮発して当該気体の通ったあとに空洞のような部分（通り道）ができても、周りの接合用組成物が移動して当該部分を埋めてくれる。そして、融着した金属粒子の繋がりが一体的となり、十分な接合強度が得られ、よって導電性や熱伝導性も向上する。
【００２６】
本実施形態の接合用組成物は、２００℃から３００℃まで加熱したときの重量減少率が２４％〜５０％の範囲にあるため、上記のように加熱により高温になって金属粒子の融着が活発になった際に気体となって出て行く有機物の量が比較的少なく、融着した金属粒子の繋がりの一体性が損なわれにくいので、十分な接合強度が得られ、よって導電性や熱伝導性も向上する。
【００２７】
２００℃〜３００℃まで加熱したときの重量減少率が上記の範囲よりも多いと、上記のように高温になって金属粒子の融着が活発になった時に、有機物が一気に気体として出ていくため、融着した金属粒子の繋がりがまばらになってしまう。逆に、２００℃〜３００℃まで加熱したときの重量減少率が上記の範囲よりも少ないと、残存する有機物が増え、かつ金属粒子の融着が抑制されるため、十分な接合強度が得られなくなる。
【００２８】
なお、有機物量を所定の範囲に調整する方法は、後述するが、加熱を行って調整するのが簡便である。金属粒子を作製する際に添加する有機物の量を調整することで行ってもよい。金属粒子調整後の洗浄条件や回数を変えてもよい。加熱はオーブンやエバポレーターなどで行うことができ、減圧下で行ってもよい。常圧下で行う場合は、大気中でも不活性雰囲気中でも行うことができる。更に、有機分量の微調整のためにアミンやカルボン酸を後で加えることもできる。
【００２９】
本実施形態の接合用組成物には、主成分として、後述する金属粒子がコロイド化した金属コロイド粒子が含まれるが、かかる金属コロイド粒子の形態に関しては、例えば、金属粒子の表面の一部に有機物が付着して構成されている金属コロイド粒子、上記金属粒子をコアとして、その表面が有機物で被覆されて構成されている金属コロイド粒子、それらが混在して構成されている金属コロイド粒子等が挙げられるが、特に限定されない。なかでも、金属粒子をコアとして、その表面が有機物で被覆されて構成されている金属コロイド粒子が好ましい。当業者は、上述した形態を有する金属コロイド粒子を、当該分野における周知技術を用いて適宜調製することができる。
【００３０】
本実施形態の接合用組成物は、金属粒子と有機物とで構成されるコロイド粒子を主成分とする流動体であり、金属粒子、金属コロイド粒子を構成する有機物のほかに、金属コロイド粒子を構成しない有機物、分散媒または残留還元剤等を含んでいてもよい。
【００３１】
本実施形態の接合用組成物の粘度は、固形分の濃度は本発明の効果を損なわない範囲で適宜調整すればよいが、例えば０．０１〜５０００Pa・Sの粘度範囲であればよく、０．１〜１０００Pa・Sの粘度範囲がより好ましく、１〜１００Pa・Sの粘度範囲であることが特に好ましい。当該粘度範囲とすることにより、基材上に接合用組成物を塗布する方法として幅広い方法を適用することができる。
【００３２】
基材上に接合用組成物を塗布する方法としては、例えば、ディッピング、スクリーン印刷、スプレー方式、バーコート法、スピンコート法、インクジェット法、ディスペンサー法、刷毛による塗布方式、流延法、フレキソ法、グラビア法、オフセット法、転写法、親疎水パターン法、又はシリンジ法等のなかから適宜選択して採用することができるようになる。
【００３３】
粘度の調整は、金属粒子の粒径の調整、有機物の含有量の調整、分散媒その他の成分の添加量の調整、各成分の配合比の調整、増粘剤の添加等によって行うことができる。本実施形態の接合用組成物の粘度は、コーンプレート型粘度計（例えばアントンパール社製のレオメーターＭＣＲ３０１）により測定される。測定は温度２５℃で行い、コーン回転数５０ｒｐｍにおける粘度を採用した。
【００３４】
次に、本実施形態の接合用組成物の各成分について説明する。
【００３５】
（１−１）金属粒子について
本実施形態の接合用組成物の金属粒子としては、特に限定されるものではないが、本実施形態の接合用組成物を用いて得られる接着層の導電性を良好かつ安定にすることができるため、亜鉛よりもイオン化傾向が小さい（貴な）金属であるのが好ましい。
【００３６】
かかる金属としては、例えば金、銀、銅、ニッケル、ビスマス、スズ、鉄並びに白金族元素（ HYPERLINK "http://ja.wikipedia.org/wiki/%E3%83%AB%E3%83%86%E3%83%8B%E3%82%A6%E3%83%A0" \o "ルテニウム" ルテニウム、 HYPERLINK "http://ja.wikipedia.org/wiki/%E3%83%AD%E3%82%B8%E3%82%A6%E3%83%A0" \o "ロジウム" ロジウム、 HYPERLINK "http://ja.wikipedia.org/wiki/%E3%83%91%E3%83%A9%E3%82%B8%E3%82%A6%E3%83%A0" \o "パラジウム" パラジウム、 HYPERLINK "http://ja.wikipedia.org/wiki/%E3%82%AA%E3%82%B9%E3%83%9F%E3%82%A6%E3%83%A0" \o "オスミウム" オスミウム、 HYPERLINK "http://ja.wikipedia.org/wiki/%E3%82%A4%E3%83%AA%E3%82%B8%E3%82%A6%E3%83%A0" \o "イリジウム" イリジウム及び HYPERLINK "http://ja.wikipedia.org/wiki/%E7%99%BD%E9%87%91" \o "白金" 白金）のうちの少なくとも１種が挙げられる。上記金属としては、金、銀、銅、ニッケル、ビスマス、スズ又は白金族元素よりなる群から選択される少なくとも１種の金属の粒子であることが好ましく、更には、銅又は銅よりもイオン化傾向が小さい（貴な）金属、即ち、金、白金、銀及び銅のうちの少なくとも１種であるのが好ましい。これらの金属は単独で用いても、２種以上を併用して用いてもよく、併用する方法としては、複数の金属を含む合金粒子を用いる場合や、コア−シェル構造や多層構造を有する金属粒子を用いる場合がある。
【００３７】
例えば、上記接合用組成物の金属粒子として銀粒子を用いる場合、本実施形態の接合用組成物を用いて形成した接着層の導電率は良好となるが、マイグレーションの問題を考慮して、銀及びその他の金属からなる接合用組成物を用いることによって、マイグレーションを起こりにくくすることができる。当該「その他の金属」としては、上述のイオン化列が水素より貴である金属、即ち金、銅、白金又はパラジウム等の白金族元素が好ましい。
【００３８】
本実施形態の接合用組成物における金属粒子（乃至は金属コロイド粒子）の平均粒径（結晶子径）は、本発明の効果を損なわない範囲であれば特に制限されるものではないが、融点降下が生じるような平均粒径を有するのが好ましく、例えば、１〜２００ｎｍであればよい。更には、２〜１００ｎｍであるのが好ましい。金属粒子の平均粒径が１ｎｍ以上であれば、良好な接着層を形成可能な接合用組成物が得られ、金属粒子製造がコスト高とならず実用的である。また、２００ｎｍ以下であれば、金属粒子の分散性が経時的に変化しにくく、好ましい。
【００３９】
更に、本実施形態の接合用組成物における金属粒子（乃至は金属コロイド粒子）の結晶子径は、強固な接合強度を得るという観点から、４〜４０ｎｍであることが好ましい。例えば、特開２００６−０４９１０６号公報及び国際公開公報第ＷＯ２０１１／００７４０２号公報には、結晶子径１０〜３０ｎｍレベルの銀粒子（金属粒子）に関し、結晶粒子径が大きいほど金属粒子同士が融着し易いものと記載されているように考えられるが、本発明者らは結晶子径が小さいほうが高い接合強度を得るために好ましいことを実験により見出した。これは、分散剤としての機能を果たすアミンが、金属粒子の表面周囲に強固に吸着して配位していることに起因するものと推測される。
【００４０】
本実施形態の接合用組成物における金属粒子（乃至は金属コロイド粒子）の結晶子径は、より強固な接合強度を得るという観点から、１３〜３６ｎｍであることが特に好ましい。これは、分散剤としての機能を果たすアミンが、金属粒子の表面周囲に吸着するメカニズムが、結晶粒子径と関連するためであると推測される。
【００４１】
なお、必要に応じてミクロンメートルサイズの金属粒子を併用して添加することも可能である。そのような場合は、ナノメートルサイズの金属粒子がミクロンメートルサイズの金属粒子の周囲で融点降下することにより、接合できる。
【００４２】
本発明者は、特にこのように融点降下を発現する粒径の小さい金属粒子を用い、当該金属粒子の表面の少なくとも一部に付着しているアミン及び／又はカルボン酸を含む有機物と、を含む接合用組成物において、特定の温度範囲における加熱時の重量減少率を特定の範囲に最適化にすることで、そうではない接合材に比べて、接合強度が上がることを見出した。金属粒子の融点降下を利用して金属粒子同士を融着させると、融着させた後は融点降下能がなくなるため、元の金属の融点まで溶けなくなる。そのため、はんだとは異なり、接合に必要な加熱温度よりはるかに高い耐熱温度を得ることができる。更に、有機物の劣化等による耐熱性の低下の懸念を少なくすることができる。
【００４３】
なお、本実施形態の接合用組成物における金属粒子の粒径は、一定とは限らない。また、接合用組成物が、任意成分として、後述する分散媒、樹脂成分、有機溶剤、増粘剤又は表面張力調整剤等を含む場合、平均粒径が２００ｎｍ超の金属コロイド粒子成分を含む場合があるが、凝集を生じたりせず、本発明の効果を著しく損なわない成分であればかかる２００ｎｍ超の平均粒径を有する粒子成分を含んでもよい。
【００４４】
ここで、本実施形態の接合用組成物（金属コロイド分散液）における金属粒子の粒径（結晶子径）は、動的光散乱法、小角Ｘ線散乱法、広角Ｘ線回折法で測定することができる。ナノサイズの金属粒子の融点降下を示すためには、広角Ｘ線回折法で求めた結晶子径が適当である。例えば広角Ｘ線回折法では、より具体的には、理学電機（株）製のＲＩＮＴ−ＵｌｔｉｍａIIIを用いて、回折法で２θが３０〜８０°の範囲で測定することができる。この場合、試料は、中央部に深さ０．１〜１ｍｍ程度の窪みのあるガラス板に表面が平坦になるように薄くのばして測定すればよい。また、理学電機（株）製のＪＡＤＥを用い、得られた回折スペクトルの半値幅を下記のシェラー式に代入することにより算出された結晶子径（Ｄ）を粒径とすればよい。
Ｄ＝Ｋλ／Ｂｃｏｓθ
ここで、Ｋ：シェラー定数（０．９）、λ：Ｘ線の波長、Ｂ：回折線の半値幅、θ：ブラッグ角である。
【００４５】
（１−２）金属粒子の表面の少なくとも一部に付着している有機物
本実施形態の接合用組成物において、金属粒子の表面の少なくとも一部に付着している有機物、即ち、金属コロイド粒子中の「有機物」は、いわゆる分散剤として上記金属粒子とともに実質的に金属コロイド粒子を構成する。当該有機物には、金属中に最初から不純物として含まれる微量有機物、後述する製造過程で混入して金属成分に付着した微量有機物、洗浄過程で除去しきれなかった残留還元剤、残留分散剤等のように、金属粒子に微量付着した有機物等は含まれない概念である。なお、上記「微量」とは、具体的には、金属コロイド粒子中１質量%未満が意図される。
【００４６】
上記有機物としては、金属粒子を被覆して金属粒子の凝集を防止するとともに金属コロイド粒子を形成することが可能な有機物であり、被覆の形態については特に規定しないが、本実施形態においては、分散性および導電性等の観点から、アミン及び／又はカルボン酸を含む有機物を用いる。なお、これらの有機物は、金属粒子と化学的あるいは物理的に結合している場合、アニオンやカチオンに変化していることも考えられ、本実施形態においては、これらの有機物に由来するイオンや錯体等も上記有機物に含まれる。
【００４７】
アミンとしては、モノアミン及びポリアミンが挙げられる。
モノアミンとしては、オレイルアミン、ヘキシルアミン、ブチルアミン、ペンチルアミン、ヘキシルアミン、オクチルアミン、ドデシルアミン等のアルキルアミン（Ｃ2-20程度の直鎖状アルキルアミン、側鎖を有していてもよい。）、シクロペンチルアミン、シクロヘキシルアミン等のシクロアルキルアミン、アニリン等のアリルアミン等の第１級アミン、ジプロピルアミン、ジブチルアミン、ピペリジン、ヘキサメチレンイミン等の第２級アミン、トリプロピルアミン、ジメチルプロパンジアミン、シクロヘキシルジメチルアミン、ピリジン、キノリン等の第３級アミン等が挙げられる。
【００４８】
ポリアミンとしては、上記モノアミンに対応するポリアミン、例えば、エチレンジアミン、テトラメチレンジアミン、トリエチレンテトラミン、ピペラジン、ピリミジン等に対応するポリアミンが挙げられる。
【００４９】
上記アミンは、例えば、ヒドロキシル基、カルボキシル基、アルコキシ基、カルボニル基、エステル基、メルカプト基等の、アミン以外の官能基を含む化合物であってもよい。この場合、アミンに由来するチッ素原子の数が、アミン以外の官能基の数以上であるのが好ましい。また、上記アミンは、それぞれ単独で用いてもよく、２種以上を併用してもよい。加えて、常温での沸点が３００℃以下、更には２５０℃以下であるのが好ましい。
【００５０】
カルボン酸としては、少なくとも１つのカルボキシル基を有する化合物を広く用いることができ、例えば、ギ酸、シュウ酸、酢酸、ヘキサン酸、アクリル酸、オクチル酸、オレイン酸等が挙げられる。カルボン酸の一部のカルボキシル基が金属イオンと塩を形成していてもよい。なお、当該金属イオンについては、２種以上の金属イオンが含まれていてもよい。
【００５１】
上記カルボン酸は、例えば、アミノ基、ヒドロキシル基、アルコキシ基、カルボニル基、エステル基、メルカプト基等の、カルボキシル基以外の官能基を含む化合物であってもよい。この場合、カルボキシル基の数が、カルボキシル基以外の官能基の数以上であるのが好ましい。また、上記カルボン酸は、それぞれ単独で用いてもよく、２種以上を併用してもよい。加えて、常温での沸点が３００℃以下、更には２５０℃以下であるのが好ましい。
【００５２】
本実施形態の接合用組成物中における金属コロイド中の有機物の含有量は、０．５〜５０質量％であるのが好ましい。有機物の含有量が０．５質量％以上であれば、得られる接合用組成物の貯蔵安定性が良くなる傾向があり、５０質量％以下であれば、接合用組成物の導電性が良い傾向がある。有機物のより好ましい含有量は１〜３０質量％であり、更に好ましい含有量は３〜１５質量％である。
【００５３】
アミンとカルボン酸とを併用する場合の組成比（質量）としては、１／９９〜９９／１の範囲で任意に選択することができるが、好ましくは１０／９０〜９０／１０であり、更に好ましくは２０／８０〜８０／２０である。なお、アミン又はカルボン酸は、それぞれ複数種類のアミン又はカルボン酸を用いてもよい。
【００５４】
（１−３）その他の成分
本実施形態の接合用組成物には、上記の成分に加えて、本発明の効果を損なわない範囲で、使用目的に応じた適度な粘性、密着性、乾燥性又は印刷性等の機能を付与するために、分散媒や、例えばバインダーとしての役割を果たすオリゴマー成分、樹脂成分、有機溶剤（固形分の一部を溶解又は分散していてよい。）、界面活性剤、増粘剤又は表面張力調整剤等の任意成分を添加してもよい。かかる任意成分としては、特に限定されない。
【００５５】
任意成分のうちの分散媒としては、本発明の効果を損なわない範囲で種々のものを使用可能であり、例えば炭化水素及びアルコール等が挙げられる。
【００５６】
炭化水素としては、脂肪族炭化水素、環状炭化水素及び脂環式炭化水素等が挙げられ、それぞれ単独で用いてもよく、２種以上を併用してもよい。
【００５７】
脂肪族炭化水素としては、例えば、テトラデカン、オクタデカン、ヘプタメチルノナン、テトラメチルペンタデカン、ヘキサン、ヘプタン、オクタン、ノナン、デカン、トリデカン、メチルペンタン、ノルマルパラフィン、イソパラフィン等の飽和又は不飽和脂肪族炭化水素が挙げられる。
【００５８】
環状炭化水素としては、例えば、トルエン、キシレン等が挙げられる。
【００５９】
更に、脂環式炭化水素としては、例えば、リモネン、ジペンテン、テルピネン、ターピネン（テルピネンともいう。）、ネソール、シネン、オレンジフレーバー、テルピノレン、ターピノレン（テルピノレンともいう。）、フェランドレン、メンタジエン、テレベン、ジヒドロサイメン、モスレン、イソテルピネン、イソターピネン（イソテルピネンともいう。）、クリトメン、カウツシン、カジェプテン、オイリメン、ピネン、テレビン、メンタン、ピナン、テルペン、シクロヘキサン等が挙げられる。
【００６０】
また、アルコールは、ＯＨ基を分子構造中に１つ以上含む化合物であり、脂肪族アルコール、環状アルコール及び脂環式アルコールが挙げられ、それぞれ単独で用いてもよく、２種以上を併用してもよい。また、ＯＨ基の一部は、本発明の効果を損なわない範囲でアセトキシ基等に誘導されていてもよい。
【００６１】
脂肪族アルコールとしては、例えば、ヘプタノール、オクタノール（１−オクタノール、２−オクタノール、３−オクタノール等）、デカノール（１−デカノール等）、ラウリルアルコール、テトラデシルアルコール、セチルアルコール、２−エチル−１−ヘキサノール、オクタデシルアルコール、ヘキサデセノール、オレイルアルコール等の飽和又は不飽和Ｃ6-30脂肪族アルコール等が挙げられる。
【００６２】
環状アルコールとしては、例えば、クレゾール、オイゲノール等が挙げられる。
【００６３】
更に、脂環式アルコールとしては、例えば、シクロヘキサノール等のシクロアルカノール、テルピネオール（α、β、γ異性体、又はこれらの任意の混合物を含む。）、ジヒドロテルピネオール等のテルペンアルコール（モノテルペンアルコール等）、ジヒドロターピネオール、ミルテノール、ソブレロール、メントール、カルベオール、ペリリルアルコール、ピノカルベオール、ソブレロール、ベルベノール等が挙げられる。
【００６４】
本実施形態の接合用組成物中に分散媒を含有させる場合の含有量は、粘度などの所望の特性によって調整すれば良く、接合用組成物中の分散媒の含有量は、１〜３０質量％であるのが好ましい。分散媒の含有量が１〜３０質量％以上であれば、接合性組成物として使いやすい範囲で粘度を調整する効果を得ることができる。分散媒のより好ましい含有量は１〜２０質量％であり、更に好ましい含有量は１〜１５質量％である。
【００６５】
樹脂成分としては、例えば、ポリエステル系樹脂、ブロックドイソシアネート等のポリウレタン系樹脂、ポリアクリレート系樹脂、ポリアクリルアミド系樹脂、ポリエーテル系樹脂、メラミン系樹脂又はテルペン系樹脂等を挙げることができ、これらはそれぞれ単独で用いてもよく、２種以上を併用してもよい。
【００６６】
有機溶剤としては、上記の分散媒として挙げられたものを除き、例えば、メチルアルコール、エチルアルコール、ｎ−プロピルアルコール、２−プロピルアルコール、１，３−プロパンジオール、１，２−プロパンジオール、１，４−ブタンジオール、１，２，６−ヘキサントリオール、１−エトキシ−２−プロパノール、２−ブトキシエタノール、エチレングリコール、ジエチレングリコール、トリエチレングリコール、重量平均分子量が２００以上１，０００以下の範囲内であるポリエチレングリコール、プロピレングリコール、ジプロピレングリコール、トリプロピレングリコール、重量平均分子量が３００以上１，０００以下の範囲内であるポリプロピレングリコール、Ｎ，Ｎ−ジメチルホルムアミド、ジメチルスルホキシド、Ｎ−メチル−２−ピロリドン、Ｎ，Ｎ−ジメチルアセトアミド、グリセリン又はアセトン等が挙げられ、これらはそれぞれ単独で用いてもよく、２種以上を併用してもよい。
【００６７】
増粘剤としては、例えば、クレイ、ベントナイト又はヘクトライト等の粘土鉱物、例えば、ポリエステル系エマルジョン樹脂、アクリル系エマルジョン樹脂、ポリウレタン系エマルジョン樹脂又はブロックドイソシアネート等のエマルジョン、メチルセルロース、カルボキシメチルセルロース、ヒドロキシエチルセルロース、ヒドロキシプロピルセルロース、ヒドロキシプロピルメチルセルロース等のセルロース誘導体、キサンタンガム又はグアーガム等の多糖類等が挙げられ、これらはそれぞれ単独で用いてもよく、２種以上を併用してもよい。
【００６８】
上記有機物とは異なる界面活性剤を添加してもよい。多成分溶媒系の金属コロイド分散液においては、乾燥時の揮発速度の違いによる被膜表面の荒れ及び固形分の偏りが生じ易い。本実施形態の接合用組成物に界面活性剤を添加することによってこれらの不利益を抑制し、均一な導電性被膜を形成することができる接合用組成物が得られる。
【００６９】
本実施形態において用いることのできる界面活性剤としては、特に限定されず、アニオン性界面活性剤、カチオン性界面活性剤、ノニオン性界面活性剤の何れを用いることができ、例えば、アルキルベンゼンスルホン酸塩、４級アンモニウム塩等が挙げられる。少量の添加量で効果が得られるので、フッ素系界面活性剤が好ましい。
【００７０】
（２）接合用組成物の製造
次に、本実施形態の金属コロイドを含んでなる接合用組成物を製造するためには、主成分としての、有機物で被覆された金属粒子（金属コロイド粒子）を調製する。
【００７１】
なお、有機物量及び重量減少率の調整は、特に限定しないが、加熱を行って調整するのが簡便である。金属粒子を作製する際に添加する有機物の量を調整することで行ってもよい。金属粒子調整後の洗浄条件や回数を変えてもよい。また、加熱はオーブンやエバポレーター等で行うことができる。加熱温度は５０〜３００℃程度の範囲であればよく、加熱時間は数分間〜数時間であればよい。加熱は減圧下で行ってもよい。減圧下で加熱することで、より低い温度で有機物量の調整を行うことができる。常圧下で行う場合は、大気中でも不活性雰囲気中でも行うことができる。更に、有機分量の微調整のためにアミンやカルボン酸を後で加えることもできる。
【００７２】
本実施形態の有機物で被覆された金属粒子を調製する方法としては、特に限定されないが、例えば、金属粒子を含む分散液を調製し、次いで、その分散液の洗浄を行う方法等が挙げられる。金属粒子を含む分散液を調製する工程としては、例えば、下記のように、溶媒中に溶解させた金属塩（又は金属イオン）を還元させればよく、還元手順としては、化学還元法に基づく手順を採用すればよい。
【００７３】
即ち、上記のような有機物で被覆された金属粒子は、金属粒子を構成する金属の金属塩と、分散剤としての有機物と、溶媒（基本的にトルエン等の有機系であるが、水を含んでいてもよい。）と、を含む原料液（成分の一部が溶解せず分散していてもよい。）を還元することにより調製することができる。
【００７４】
この還元によって、分散剤としての有機物が金属粒子の表面の少なくとも一部に付着している金属コロイド粒子が得られる。この金属コロイド粒子は、それのみで本実施形態の接合用組成物として供することができるが、必要に応じて、これを後述する工程において分散媒に添加することにより、金属コロイド分散液からなる接合用組成物として得ることもできる。
【００７５】
有機物で被覆された金属粒子を得るための出発材料としては、種々の公知の金属塩又はその水和物を用いることができ、例えば、硝酸銀、硫酸銀、塩化銀、酸化銀、酢酸銀、シュウ酸銀、ギ酸銀、亜硝酸銀、塩素酸銀、硫化銀等の銀塩；例えば、塩化金酸、塩化金カリウム、塩化金ナトリウム等の金塩；例えば、塩化白金酸、塩化白金、酸化白金、塩化白金酸カリウム等の白金塩；例えば、硝酸パラジウム、酢酸パラジウム、塩化パラジウム、酸化パラジウム、硫酸パラジウム等のパラジウム塩等が挙げられるが、適当な分散媒中に溶解し得、かつ還元可能なものであれば特に限定されない。また、これらは単独で用いても複数併用してもよい。
【００７６】
また、上記原料液においてこれらの金属塩を還元する方法は特に限定されず、例えば、還元剤を用いる方法、紫外線等の光、電子線、超音波又は熱エネルギーを照射する方法等が挙げられる。なかでも、操作の容易の観点から、還元剤を用いる方法が好ましい。
【００７７】
上記還元剤としては、例えば、ジメチルアミノエタノール、メチルジエタノールアミン、トリエタノールアミン、フェニドン、ヒドラジン等のアミン化合物；例えば、水素化ホウ素ナトリウム、ヨウ素化水素、水素ガス等の水素化合物；例えば、一酸化炭素、亜硫酸等の酸化物；例えば、硫酸第一鉄、酸化鉄、フマル酸鉄、乳酸鉄、シュウ酸鉄、硫化鉄、酢酸スズ、塩化スズ、二リン酸スズ、シュウ酸スズ、酸化スズ、硫酸スズ等の低原子価金属塩；例えば、エチレングリコール、グリセリン、ホルムアルデヒド、ハイドロキノン、ピロガロール、タンニン、タンニン酸、サリチル酸、Ｄ−グルコース等の糖等が挙げられるが、分散媒に溶解し上記金属塩を還元し得るものであれば特に限定されない。上記還元剤を使用する場合は、光及び／又は熱を加えて還元反応を促進させてもよい。
【００７８】
上記金属塩、有機物、溶媒及び還元剤を用いて、有機物で被覆された金属粒子を調製する具体的な方法としては、例えば、上記金属塩を有機溶媒（例えばトルエン等）に溶かして金属塩溶液を調製し、当該金属塩溶液に分散剤としての有機物を添加し、ついで、ここに還元剤が溶解した溶液を徐々に滴下する方法等が挙げられる。
【００７９】
上記のようにして得られた分散剤としての有機物で被覆された金属粒子を含む分散液には、金属粒子の他に、金属塩の対イオン、還元剤の残留物や分散剤が存在しており、液全体の電解質濃度が高い傾向にある。このような状態の液は、電導度が高いので、金属粒子の凝析が起こり、沈殿し易い。あるいは、沈殿しなくても、金属塩の対イオン、還元剤の残留物、又は分散に必要な量以上の過剰な分散剤が残留していると、導電性を悪化させるおそれがある。そこで、上記金属粒子を含む溶液を洗浄して余分な残留物を取り除くことにより、有機物で被覆された金属粒子を確実に得ることができる。
【００８０】
上記洗浄方法としては、例えば、有機物で被覆された金属粒子を含む分散液を一定時間静置し、生じた上澄み液を取り除いた上で、アルコール（メタノール等）を加えて再度撹枠し、更に一定期間静置して生じた上澄み液を取り除く工程を幾度か繰り返す方法、上記の静置の代わりに遠心分離を行う方法、限外濾過装置やイオン交換装置等により脱塩する方法等が挙げられる。このような洗浄によって有機溶媒を除去することにより、本実施形態の有機物で被覆された金属粒子を得ることができる。
【００８１】
本実施形態のうち、金属コロイド分散液は、上記において得た有機物で被覆された金属粒子と、上記本実施形態で説明した分散媒と、を混合することにより得られる。
【００８２】
かかる有機物で被覆された金属粒子と分散媒との混合方法は特に限定されるものではなく、攪拌機やスターラー等を用いて従来公知の方法によって行うことができる。スパチュラのようなもので撹拌したりして、適当な出力の超音波ホモジナイザーを当ててもよい。
【００８３】
複数の金属を含む金属コロイド分散液を得る場合、その製造方法としては特に限定されず、例えば、銀とその他の金属とからなる金属コロイド分散液を製造する場合には、上記の有機物で被覆された金属粒子の調製において、金属粒子を含む分散液と、その他の金属粒子を含む分散液とを別々に製造し、その後混合してもよく、銀イオン溶液とその他の金属イオン溶液とを混合し、その後に還元してもよい。
【００８４】
（３）接合方法
本実施形態の接合用組成物を用いれば、加熱を伴う部材同士の接合において高い接合強度を得ることができる。即ち、上記接合用組成物を第１の被接合部材と第２の被接合部材との間に塗布する接合用組成物塗布工程と、第１の被接合部材と第２の被接合部材との間に塗布した接合用組成物を、所望の温度（例えば３００℃以下、好ましくは１５０〜２００℃）で焼成して接合する接合工程と、により、第１の被接合部材と第２の被接合部材とを接合することができる。この際、加圧することもできるが、特に加圧しなくとも十分な接合強度を得ることができるのも本発明の利点のひとつである。また、焼成を行う際、段階的に温度を上げたり下げたりすることもできる。また、予め被接合部材表面に界面活性剤又は表面活性化剤等を塗布しておくことも可能である。
【００８５】
本発明者は、鋭意検討を重ねた結果、前記接合用組成物塗布工程での接合用組成物として、上述した本実施形態の接合用組成物を用いれば、第１の被接合部材と第２の被接合部材とを、高い接合強度をもってより確実に接合できる（接合体が得られる）ことを見出した。
【００８６】
ここで、本実施形態の接合用組成物の「塗布」とは、接合用組成物を面状に塗布する場合も線状に塗布（描画）する場合も含む概念である。塗布されて、加熱により焼成される前の状態の接合用組成物からなる塗膜の形状は、所望する形状にすることが可能である。したがって、加熱による焼成後の本実施形態の接合体では、接合用組成物は、面状の接合層及び線状の接合層のいずれも含む概念であり、これら面状の接合層及び線状の接合層は、連続していても不連続であってもよく、連続する部分と不連続の部分とを含んでいてもよい。
【００８７】
本実施形態において用いることのできる第１の被接合部材及び第２の被接合部材としては、接合用組成物を塗布して加熱により焼成して接合することのできるものであればよく、特に制限はないが、接合時の温度により損傷しない程度の耐熱性を具備した部材であるのが好ましい。
【００８８】
このような被接合部材を構成する材料としては、例えば、ポリアミド（ＰＡ）、ポリイミド（ＰＩ）、ポリアミドイミド（ＰＡＩ）、ポリエチレンテレフタレート（ＰＥＴ）、ポリブチレンテレフタレート（ＰＢＴ）、ポリエチレンナフタレート（ＰＥＮ）等のポリエステル、ポリカーボネート（ＰＣ）、ポリエーテルスルホン（ＰＥＳ）、ビニル樹脂、フッ素樹脂、液晶ポリマー、セラミクス、ガラス又は金属等を挙げることができるが、なかでも、金属製の被接合部材が好ましい。金属製の被接合部材が好ましいのは、耐熱性に優れているとともに、無機粒子が金属である本発明の接合用組成物との親和性に優れているからである。
【００８９】
また、被接合部材は、例えば板状又はストリップ状等の種々の形状であってよく、リジッドでもフレキシブルでもよい。基材の厚さも適宜選択することができる。接着性若しくは密着性の向上又はその他の目的ために、表面層が形成された部材や親水化処理等の表面処理を施した部材を用いてもよい。
【００９０】
接合用組成物を被接合部材に塗布する工程では、種々の方法を用いることが可能であるが、上述のように、例えば、ディッピング、スクリーン印刷、スプレー式、バーコート式、スピンコート式、インクジェット式、ディスペンサー式、刷毛による塗布方式、流延式、フレキソ式、グラビア式、又はシリンジ式等のなかから適宜選択して用いることができる。
【００９１】
上記のように塗布した後の塗膜を、被接合部材を損傷させない範囲で、例えば３００℃以下の温度に加熱することにより焼成し、本実施形態の接合体を得ることができる。本実施形態においては、先に述べたように、本実施形態の接合用組成物を用いるため、被接合部材に対して優れた密着性を有する接合層が得られ、強い接合強度がより確実に得られる。
【００９２】
本実施形態においては、接合用組成物がバインダー成分を含む場合は、接合層の強度向上及び被接合部材間の接合強度向上等の観点から、バインダー成分も焼結することになるが、場合によっては、各種印刷法へ適用するために接合用組成物の粘度を調整することをバインダー成分の主目的として、焼成条件を制御してバインダー成分を全て除去してもよい。
【００９３】
上記焼成を行う方法は特に限定されるものではなく、例えば従来公知のオーブン等を用いて、被接合部材上に塗布または描画した上記接合用組成物の温度が、例えば３００℃以下となるように焼成することによって接合することができる。上記焼成の温度の下限は必ずしも限定されず、被接合部材同士を接合できる温度であって、かつ、本発明の効果を損なわない範囲の温度であることが好ましい。ここで、上記焼成後の接合用組成物においては、なるべく高い接合強度を得るという点で、有機物の残存量は少ないほうがよいが、本発明の効果を損なわない範囲で有機物の一部が残存していても構わない。
【００９４】
なお、本発明の接合用組成物には、有機物が含まれているが、従来の例えばエポキシ樹脂等の熱硬化を利用したもの（例えば、エポキシ系導電性接着剤）と異なり、有機物の作用によって焼成後の接合強度を得るものではなく、前述したように融着した無機粒子（金属粒子）の融着によって十分な接合強度が得られるものである。このため、接合後において、接合温度よりも高温の使用環境に置かれて残存した有機物が劣化ないし分解・消失した場合であっても、接合強度の低下するおそれはなく、したがって耐熱性に優れている。
【００９５】
本実施形態の接合用組成物によれば、例えば１５０〜２００℃程度の低温加熱による焼成でも高い導電性を発現する接合層を有する接合を実現することができるため、比較的熱に弱い被接合部材同士を接合することができる。また、焼成時間は特に限定されるものではなく、焼成温度に応じて、接合できる焼成時間であればよい。
【００９６】
本実施形態においては、上記被接合部材と接合層との密着性を更に高めるため、上記被接合部材の表面処理を行ってもよい。上記表面処理方法としては、例えば、コロナ処理、プラズマ処理、ＵＶ処理、電子線処理等のドライ処理を行う方法、基材上にあらかじめプライマー層や導電性ペースト受容層を設ける方法等が挙げられる。
【００９７】
以上、本発明の代表的な実施形態について説明したが、本発明はこれらのみに限定されるものではない。例えば、上記実施形態においては、無機粒子として金属粒子を採用した金属コロイド分散液について説明したが、例えば、導電性、熱伝導性、誘電性、イオン伝導性等に優れたスズドープ酸化インジウム、アルミナ、チタン酸バリウム、鉄リン酸リチウム等の無機粒子を用いることもできる。
【００９８】
以下、実施例において本発明の接合用組成物について更に説明するが、本発明はこれらの実施例に何ら限定されるものではない。
【実施例】
【００９９】
≪実施例１≫
トルエン（和光純薬工業（株）製特級）２００ｍＬにヘキシルアミン（東京化成工業（株）製ＥＰグレード）１５ｇを加え、マグネティックスターラーにてよく攪拌した。攪拌を行いながら、硝酸銀（和光純薬工業（株）製特級）１０ｇを加え、硝酸銀が溶解したところでオレイン酸（和光純薬工業（株）製一級）５ｇ及びヘキサン酸（和光純薬工業（株）製特級）１０ｇを順次添加し、硝酸銀のトルエン溶液を調製した。【０１００】
この硝酸銀のトルエン溶液に、イオン交換水５０ｍＬに水素化ほう素ナトリウム（和光純薬工業（株）製化学用）１ｇを添加して調製した０．０２ｇ／ｍＬの水素化ほう素ナトリウム水溶液を滴下し、攪拌を一時間続けて銀粒子を生成させた。その後、メタノール（和光純薬工業（株）製特級）を２５０ｍＬ加えて銀粒子を沈降させた。更に、遠心分離にて銀粒子を完全に沈降させた後、上澄みに含まれる反応残渣や溶媒等の除去を行った。【０１０１】
上澄みを除去した後に残った銀粒子を含む沈降物（未処理銀粒子組成物）を、エバポレーターを用いて６０℃で４５分間、減圧下で加熱処理し、銀粒子組成物中において、ヘキシルアミン、オレイン酸及びヘキサン酸を含む有機物の量を適量に減らし、本実施形態の接合用組成物を得た。【０１０２】
［評価試験１］
（１）熱分析
上記で得た接合用組成物約１０ｍｇについて、リガク（株）製の熱重量分析装置を用いて熱分析試験を行った。加熱は、室温（２５℃）から５５０℃までを１０℃／分でチッ素気流中において上昇させて行い、重量減少を測定した。そして、初期値（室温）から５００℃までの減少値（≒組成物中の全有機物量）を基準として、２００℃までに減少した重量減少率と、２００℃から３００℃の間に減少した重量減少率を計算で求めた。【０１０３】
２００℃まで加熱したときの重量減少率が３３％〜６９％の場合を「１」、この範囲外の場合を「２」とした。また、２００℃から３００℃まで加熱したときの重量減少率が２４％〜５０％の場合を「１」、この範囲外の場合を「２」とした。結果を表１に示した。表１には、５００℃まで加熱したときの重量減少率も記載した。【０１０４】
（２）接合強度測定
上記で得た接合用組成物をダイボンダー（ハイソル社製）を用いて、表面に金メッキを施したアルミナ板（５０ｍｍ角）に少量載せ、その上に、市販の青色ＬＥＤチップ（ジェネライツ社製、底面積６００ミクロン×６００ミクロン）を積層した。その際、外力を加えて加圧することはしなかった。【０１０５】
そして、得られた積層体を、２７０℃に調整した熱風循環式オーブンに入れ、大気雰囲気下で、１０分間の加熱による焼成処理を行った。積層体を取り出して冷却した後、常温にてボンドテスター（レスカ社製）を用いてチップの底面積に対して５ＭＰａの応力に耐えるかどうかで接合強度試験を行い、耐えた場合を「１」、剥離が見られた場合を「２」と評価した。結果を表１に示した。また、上記２７０℃、１０分間の加熱に代えて１９０℃、６０分間の加熱による焼成処理を行った場合の接合強度測定もおこない、上記積層体（チップ）の底面積に対して２ＭＰａの応力に耐えるかどうかで接合強度試験を行い、耐えた場合を「１」、剥離が見られた場合を「２」と指数で評価した。【０１０６】
（３）粒径（結晶子径）
更に、上記で得た接合用組成物中に含まれる金属粒子の粒径測定を広角Ｘ線回折法で測定した。理学電機（株）製のＲＩＮＴ−ＵｌｔｉｍａＩＩＩを用いて、回折法で２θが３０〜８０°の範囲で測定した。得られた回折スペクトルのうち最大の強度を示す約３８°（１１１面）の測定値をシェラー式に代入し、粒径（より正確には結晶子径）を求めた。【０１０７】
≪実施例２≫  エバポレーターを用いた加熱処理に代えて、未処理銀粒子組成物を大気雰囲気下１５０℃のオーブンに６０分間入れることで加熱処理した以外は、実施例１と同様にして接合用組成物を調製し、熱分析及び接合強度測定を行った。結果を表１に示した。【０１０８】
≪実施例３≫
エバポレーターを用いた加熱処理の後に、分散媒としてのテルピネオール（和光純薬工業（株）製）を１０質量%になるように添加した以外は、実施例１と同様にして接合用組成物を調製し、熱分析及び接合強度測定を行った。結果を表１に示した。【０１０９】
≪実施例４≫
エバポレーターを用いた加熱の際の加熱時間を６０分間にした以外は、実施例１と同様にして接合用組成物を調製し、熱分析及び接合強度測定を行った。結果を表１に示した。【０１１０】
≪比較例１≫
エバポレーターを用いた加熱処理に代えて、未処理銀粒子組成物を大気雰囲気下１５０℃のオーブンに１５分間入れることで加熱処理した以外は、実施例１と同様にして接合用組成物を調製し、熱分析及び接合強度測定を行った。結果を表１に示した。【０１１１】
≪比較例２≫
エバポレーターを用いた加熱の際の加熱温度を８０℃にし、加熱時間を３０分間にした以外は、実施例１と同様にして接合用組成物を調製し、熱分析及び接合強度測定を行った。結果を表１に示した。【０１１２】
≪比較例３≫
エバポレーターを用いた加熱の際の加熱温度を４０℃にし、加熱時間を９０分間にした以外は、実施例１と同様にして接合用組成物を調製し、熱分析及び接合強度測定を行った。結果を表１に示した。【０１１３】
≪比較例４≫
オレイン酸及びヘキサン酸の量をそれぞれ半分にした以外は、実施例１と同様にして接合用組成物を調製し、熱分析及び接合強度測定を行った。結果を表１に示した。【０１１４】
≪比較例５≫
遠心分離にて銀粒子を完全に沈降させただけでその後の加熱処理による有機物の量を調整を行わずに接合用組成物とした以外は、実施例１と同様にして接合用組成物を調製し、熱分析及び接合強度測定を行った。結果を表１に示した。【０１１５】
≪比較例６≫
未処理銀粒子組成物にエバポレーターによる加熱処理をせず、その後、洗浄工程として、少量（１０ｍＬ）のトルエンを添加し銀粒子を再度分散させ、更に２５０ｍＬのメタノール中に銀粒子を沈降させ、その後、遠心分離して銀粒子を完全に沈降させてこれを接合用組成物としたこと以外は実施例１と同様にして、接合用組成物を調製し、熱分析及び接合強度測定を行った。結果を表１に示した。【０１１６】
≪比較例７≫
上記比較例６の洗浄工程を２回行った以外は、上記比較例６と同様にして接合用組成物を調製し、熱分析及び接合強度測定を行った。結果を表１に示した。【０１１７】
≪比較例８≫
上記比較例６の洗浄工程を３回行った以外は、上記比較例６と同様にして接合用組成物を調製し、熱分析及び接合強度測定を行った。結果を表１に示した。【０１１８】
【表１】
0006021816.tif 000002
【０１１９】
表１に示す結果から、熱分析によって室温から２００℃まで加熱したときの重量減少率が３３％〜６９％で、かつ、２００℃から３００℃まで加熱したときの重量減少率が２４％〜５０％の接合用組成物を用いて接合した場合には、高い接合強度が得られるのがわかる。なお、念のため付言すると、例えば焼成温度が２００℃未満であっても、熱分析によって２００℃から３００℃まで加熱したときの重量減少率に含まれる有機物が全て残存するというわけではなく、焼成時間を長くするなどの焼成条件によってそのような有機物を除去することも可能である。このため、実施例に示したように、焼成温度が２００℃未満であっても、接合強度を十分に高めることが可能になっているのである。【０１２０】
≪実施例５≫
トルエン（和光純薬工業（株）製特級）３００ｍＬにヘキシルアミン（東京化成工業（株）製ＥＰグレード）５０ｇを加え、マグネティックスターラーにてよく攪拌した。攪拌を行いながら、硝酸銀（和光純薬工業（株）製特級）１０ｇを加え、硝酸銀が溶解したところでオレイン酸（和光純薬工業（株）製一級）１０ｇ及びヘキサン酸（和光純薬工業（株）製特級）５ｇを順次添加し、硝酸銀のトルエン溶液を調製した。【０１２１】
この硝酸銀のトルエン溶液に、充分に攪拌をして熱を取った後、イオン交換水１００ｍＬに水素化ほう素ナトリウム（和光純薬工業（株）製化学用）２ｇを添加して調製した０．０２ｇ／ｍＬの水素化ほう素ナトリウム水溶液を滴下し、攪拌を一時間続けて銀粒子を生成させた。その後、メタノール（和光純薬工業（株）製特級）を５００ｍＬ加えて銀粒子を沈降させた。更に、遠心分離にて銀粒子を完全に沈降させた後、上澄みに含まれる反応残渣や溶媒等の除去を行った。【０１２２】
上澄みを除去した後に残った銀粒子を含む沈降物（未処理銀粒子組成物）を、ダイヤフラムポンプを用いて数分間減圧して少量残存していたメタノールをよく蒸発させた後、大気雰囲気下、２５０℃のオーブンに３０分間入れることで加熱処理し、銀粒子組成物中において、ヘキシルアミン、オレイン酸及びヘキサン酸を含む有機物の量を適量に減らし、本実施形態の接合用組成物を得た。【０１２３】
［評価試験２］
（１）熱分析
上記評価試験１の熱分析と同様の方法で熱分析を行った。結果を表２に示した。【０１２４】
（２）接合強度測定
上記評価試験１の接合強度測定と同様の方法で積層体を作製し、得られた積層体を、２００℃に調整した熱風循環式オーブンに入れ、大気雰囲気下で、１２０分間の加熱による焼成処理を行った以外は、上記評価試験１の接合強度測定と同様の方法で接合強度測定を行った。即ち、積層体の底面積に対して５ＭＰａの応力に耐えるかどうかで接合強度試験を行い、耐えた場合を「１」、剥離が見られた場合を「２」と指数で評価した。また、剥離時の接合強度を積層体（チップ）の底面積で除してＭＰａで求めた。結果を表２に示した。なお、ここで、２００℃にて接合強度を求めたのは、省エネルギーの観点から、市場及び顧客のニーズが、焼成条件の低温化に進んでいるからである。【０１２５】
なお、２７０℃、１０分間の加熱による焼成処理を行った場合の接合強度測定も行い、積層体の底面積に対して５ＭＰａの応力に耐えるかどうかで接合強度試験を行い、耐えた場合を「１」、剥離が見られた場合を「２」と評価し、結果を表２に示した。【０１２６】
（３）粒径（結晶子径）
更に、上記で得た接合用組成物中に含まれる金属粒子の粒径測定を、上記評価試験１の粒測定と同様の方法で行った。結果を表２に示した。【０１２７】
≪実施例６≫
未処理銀粒子組成物を大気雰囲気下２００℃のオーブンに２０分間入れることで加熱処理した以外は、実施例５と同様にして接合用組成物を調製し、熱分析及び接合強度測定を行った。結果を表２に示した。【０１２８】
≪実施例７≫
未処理銀粒子組成物を大気雰囲気下２５０℃のオーブンに１０分間入れることで加熱処理した以外は、実施例５と同様にして接合用組成物を調製し、熱分析及び接合強度測定を行った。結果を表２に示した。【０１２９】
≪実施例８≫
未処理銀粒子組成物を大気雰囲気下３５０℃のオーブンに５分間入れることで加熱処理した以外は、実施例５と同様にして接合用組成物を調製し、熱分析及び接合強度測定を行った。結果を表２に示した。【０１３０】
≪比較例９≫
エバポレーターを用いた加熱処理に代えて、未処理銀粒子組成物を大気雰囲気下１５０℃のオーブンに１５分間入れることで加熱処理した以外は、実施例５と同様にして接合用組成物を調製し、熱分析及び接合強度測定を行った。結果を表２に示した。【０１３１】
≪比較例１０≫
ダイヤフラムポンプを用いて数分間減圧して少量残存していたメタノールをよく蒸発させただけで、その後の加熱処理による有機物の量の調整を行わなかった以外は、実施例５と同様にして接合用組成物を調製し、熱分析及び接合強度測定を行った。結果を表２に示した。【０１３２】
≪比較例１１≫
ヘキシルアミンを２０ｇ、オレイン酸を１．５ｇとした以外は、実施例５と同様にして未処理銀粒子組成物を得、その後、実施例６と同様にして、大気雰囲気下２００℃のオーブンに２０分間入れることで加熱処理して接合用組成物を調製し、熱分析及び接合強度測定を行った。結果を表２に示した。【０１３３】
≪比較例１２≫
ヘキシルアミンを２０ｇ、オレイン酸を２．５ｇとした以外は、実施例５と同様にして未処理銀粒子組成物を得、その後、実施例６と同様にして、大気雰囲気下２００℃のオーブンに２０分間入れることで加熱処理して接合用組成物を調製し、熱分析及び接合強度測定を行った。結果を表２に示した。【０１３４】
【表２】
0006021816.tif 000003
【０１３５】
表２に示す結果から、熱分析によって室温から２００℃まで加熱したときの重量減少率が３３％〜６９％で、かつ、２００℃から３００℃まで加熱したときの重量減少率が２４％〜５０％の接合用組成物を用いて接合した場合、更には銀粒子の結晶子径が４〜４０ｎｍの場合には、高い接合強度が得られるのがわかる。